(57)【要約】【課題】高い発光効率を維持したまま、カメラなどのＲＧＢカラーフィルタを有するイメージセンサに対してより明るい撮影を可能にする発光装置、照明器具及び照明システムを提供する。【解決手段】可視波長帯である３８０ｎｍから７８０ｎｍの範囲内に分光分布を有する光を発光する発光装置２０であって、分光分布は、可視波長帯の発光エネルギーに対する、４８０ｎｍから５３０ｎｍの発光エネルギーと、６２０ｎｍから６３０ｎｍの発光エネルギーとの和の割合が、２７％以上５３％以下である。【選択図】図５
2016146283.tif 000002
【特許請求の範囲】
【請求項１】
可視波長帯である３８０ｎｍから７８０ｎｍの範囲内に分光分布を有する光を発光する発光装置であって、
前記分光分布は、前記可視波長帯における発光エネルギーに対する、４８０ｎｍから５３０ｎｍの発光エネルギーと６２０ｎｍから６３０ｎｍの発光エネルギーとの和の割合が、２７％以上５３％以下である、
発光装置。
【請求項２】
前記分光分布は、前記可視波長帯の発光エネルギーに対する、４８０ｎｍから５３０ｎｍの発光エネルギーと６２０ｎｍから６３０ｎｍの発光エネルギーとの和の割合が、３５％以上４８％以下である、
請求項１に記載の発光装置。
【請求項３】
前記光の平均演色評価数が６０以上である、
請求項１または２に記載の発光装置。
【請求項４】
前記光の平均演色評価数が８０以上である、
請求項１または２に記載の発光装置。
【請求項５】
請求項１〜４のいずれか１項に記載の発光装置を備える、
照明器具。
【請求項６】
対象物に光を照射する請求項５に記載の照明器具と、
前記対象物を撮影するカメラと、を備える
照明システム。
【発明の詳細な説明】
【技術分野】
【０００１】
本発明は、発光装置、照明器具及び照明システムに関する。
【背景技術】
【０００２】
街路、公園などに、防犯上の目的のために設置される監視カメラなどの監視装置が知られている。また、照明灯、監視カメラ及び緊急通報システムを一体化した緊急通報システムも提案されている（特許文献１）。
【先行技術文献】
【特許文献】
【０００３】
【特許文献１】特開２００３−３１７１７６号公報
【発明の概要】
【発明が解決しようとする課題】
【０００４】
例えば、外光の入らない屋内または夜間の屋外等の自然光の少ない環境において、監視カメラのようにＲＧＢカラーフィルタを有するイメージセンサを備える装置は、照明器具の光を欠かすことができない。
【０００５】
特許文献１に記載された緊急通報システムでは、照明器具の光によって周辺を照明することによりカメラの撮影が行われている。
【０００６】
しかしながら、照明器具による光の明るさは、ヒトの眼の分光感度を基にした基準により定められており、カメラのようにＲＧＢカラーフィルタを有するイメージセンサを備え撮像をする装置に対して定められていない。つまり、ヒトの眼が感じる見た目の明るさとカメラの撮影画像の明るさとは一致しない。例えば、屋外照明で照明されている薄暗い夜間において、既存の発光装置を備えた照明器具では、ヒトの眼の感度のみが考慮されている。従って、既存の発光装置の光では、監視カメラなどのＲＧＢカラーフィルタを有するイメージセンサは、受光量が不足し、不鮮明な撮像をしてしまう場合がある。また、発光装置がＲＧＢカラーフィルタを有するイメージセンサの分光感度を基にして発光する場合、ＲＧＢカラーフィルタを有するイメージセンサは明るい撮影が可能になるが、見た目の明るさが暗くなることがある。つまり、発光装置の発光効率が低くなることがある。ここで、発光効率とは、単位電力あたりの全光束（ルーメン毎ワット）である。発光効率が低い発光装置は、単位電力あたりの見た目の明るさが暗くなる。
【０００７】
そこで、本発明は、高い発光効率を維持したまま、カメラなどのＲＧＢカラーフィルタを有するイメージセンサに対してより明るい撮影を可能にする発光装置、照明器具及び照明システムを提供することを目的とする。
【課題を解決するための手段】
【０００８】
本発明の一態様に係る発光装置は、可視波長帯である３８０ｎｍから７８０ｎｍの範囲内に分光分布を有する光を発光する発光装置であって、前記分光分布は、前記可視波長帯における発光エネルギーに対する、４８０ｎｍから５３０ｎｍの発光エネルギーと６２０ｎｍから６３０ｎｍの発光エネルギーとの和の割合が、２７％以上５３％以下である。
【０００９】
また、本発明の一態様に係る照明器具は、上記の発光装置を備える。
【００１０】
また、本発明の一態様に係る照明システムは、対象物に光を照射する上記の照明器具と、前記対象物を撮影するカメラと、を備える。
【発明の効果】
【００１１】
本発明の一態様に係る発光装置、照明器具及び照明システムによれば、高い発光効率を維持したまま、カメラなどのＲＧＢカラーフィルタを有するイメージセンサに対してより明るい撮影を可能にする。
【図面の簡単な説明】
【００１２】
【図１】実施の形態に係る照明システムの外観図である。
【図２】実施の形態に係る照明器具の断面図である。
【図３】ヒトの眼の視感度とカメラの画像輝度への寄与関数とを比較する図である。
【図４】カメラの分光感度特性を示す図である。
【図５】発光装置が発光する光の分光分布の一例を示す図である。
【図６】３８０ｎｍから７８０ｎｍの発光エネルギーに対する、各波長帯の発光エネルギーの割合を示す図である。
【図７】実施の形態の発光装置による画像輝度の向上を示す図である。
【発明を実施するための形態】
【００１３】
以下では、本発明の実施の形態に係る発光装置、照明器具及び照明システムについて、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１４】
また、各図は、模式図であり、必ずしも厳密に図示されたものではない。また、各図において、同じ構成部材については同じ符号を付している。
【００１５】
（実施の形態）
以下、図１〜図７を用いて、実施の形態を説明する。
【００１６】
［構成］
まず、実施の形態に係る発光装置を備えた照明器具及びこの照明器具を備えた照明システムの構成について説明する。
【００１７】
図１は、実施の形態に係る照明システム１の外観図である。
【００１８】
照明システム１は、例えば、外光の入らない屋内または夜間の屋外等の自然光の少ない環境に設置されるシステムであり、例えば所定の領域にある対象物を撮影する監視システムである。
【００１９】
図１に示されるように、照明システム１は、照明器具１０とカメラ１００とを備える。
【００２０】
照明器具１０は、照明システム１が撮影する対象物を照明する照明器具であり、後述する発光装置２０が発光する光を照射する。照明器具１０の構成については、後述する図２を用いて説明する。
【００２１】
カメラ１００は、照明器具１０によって照明された対象物を撮影するカメラであり、例えば監視カメラである。カメラ１００は、ＲＧＢカラーフィルタを有するイメージセンサを備えるため、照明器具１０の光を必要とする。
【００２２】
次に、照明器具１０の構成について説明する。
【００２３】
図２は、実施の形態に係る照明器具１０の断面図である。
【００２４】
図２に示されるように、照明器具１０は、発光装置２０、筐体３０、光拡散部４０、電源制御部５０及び外部電源線６０を備える。
【００２５】
発光装置２０は、可視波長帯である３８０ｎｍから７８０ｎｍの範囲内に分光分布（発光スペクトル）を有する光を発光する発光装置であって、回路基板２１及び複数の発光素子２２を備える。本実施の形態では、発光装置２０は、例えば、発光素子２２ａ〜２２ｇを備える。発光装置２０が発光する光は、詳細は後述するが、特徴的な分光分布を有する。
【００２６】
回路基板２１は、発光素子２２が実装される基板である。
【００２７】
発光素子２２は、電力が供給されることで発光する発光素子であり、上述したように例えば発光素子２２ａ〜２２ｇから構成される。発光素子２２ａ〜２２ｇは、例えば、ＬＥＤ（Ｌｉｇｈｔ  Ｅｍｉｔｔｉｎｇ  Ｄｉｏｄｅ）である。本実施の形態では、発光素子２２ａ〜２２ｇは、それぞれ赤（Ｒ）の光、緑（Ｇ）の光または青（Ｂ）の光を発光するＬＥＤで構成される。発光素子２２ａ〜２２ｇは、例えば、発光素子２２ａが赤（Ｒ）の光を発光するＬＥＤ、発光素子２２ｂが緑（Ｇ）の光を発光するＬＥＤ、発光素子２２ｃが青（Ｂ）の光を発光するＬＥＤ、・・・というように構成される。そして、発光装置２０は、発光素子２２ａ〜２２ｇのＲＧＢの組み合わせによる光（照明光）を発光する。
【００２８】
筐体３０は、照明器具１０の筐体であり、発光装置２０が固定される。また、筐体３０は開口部３１を有する。
【００２９】
開口部３１は、筐体３０に設けられた開口であり、発光装置２０から発光される光が照射される方向に向けて開口している。
【００３０】
光拡散部４０は、発光装置２０から発光された光を開口部３１より拡散させて広げる、例えば光拡散板であり、発光装置２０を覆うようにして開口部３１にはめ込まれる。つまり、光拡散部４０は、発光装置２０の保護もしている。
【００３１】
電源制御部５０は、外部電源（例えば交流電源）から発光素子２２を発光させるための電力（例えば直流電力）を生成する。電源制御部５０で生成された電力は回路基板２１を介して発光素子２２に供給される。
【００３２】
外部電源線６０は、外部電源からの電力を電源制御部５０に供給する電源線である。
【００３３】
以上が照明器具１０の構成である。
【００３４】
ところで、既存の発光装置の光の明るさは、ヒトの眼の分光感度を基にした基準により定められており、カメラ１００のようにＲＧＢカラーフィルタを有するイメージセンサを備えて撮像をする装置に対して定められていない。つまり、ヒトの眼が感じる見た目の明るさへの寄与度を示す寄与関数であるヒトの眼の視感度と画像輝度（撮影画像の明るさ）への寄与度を示す寄与関数とが異なるため、カメラ１００の画像輝度が見た目の明るさよりも暗くなる。具体的には、既存の発光装置の光で対象物が照明されているときに、カメラ１００が撮影した対象物の撮影画像の画像輝度が対象物の見た目の明るさよりも暗くなることがある。
【００３５】
［ヒトの眼の視感度と画像輝度への寄与関数］
ここで、ヒトの眼の視感度とカメラ１００の画像輝度への寄与関数とについて説明する。
【００３６】
図３は、ヒトの眼の視感度とカメラ１００の画像輝度への寄与関数とを比較する図である。ヒトの眼の視感度Ｐ（λ）が点線、カメラ１００の画像輝度への寄与関数Ｃ（λ）が実線でグラフに表されている。
【００３７】
ヒトの眼の視感度は、５５５ｎｍを最大感度とした分布になっている。
【００３８】
一方、カメラ１００の画像輝度への寄与関数Ｃ（λ）は、ヒトの眼の視感度Ｐ（λ）とは異なった分布になっている。カメラ１００の画像輝度への寄与関数Ｃ（λ）は、後述するように、図４に示される特性から算出される。
【００３９】
図４は、カメラ１００の分光感度特性を示す図である。具体的には、図４では、欧州放送連合（ＥＢＵ（Ｅｕｒｏｐｅａｎ  Ｂｒｏａｄｃａｓｔｉｎｇ  Ｕｎｉｏｎ））によって勧告されたＲＧＢカラーフィルタを有するハイビジョンカメラの標準的な分光感度が示されている。赤色カラーフィルタに対する分光感度特性ｒ（λ）が実線、緑色カラーフィルタに対する分光感度特性ｇ（λ）が一点鎖線、青色カラーフィルタに対する分光感度特性ｂ（λ）が点線でグラフに表されている。
【００４０】
カメラ１００の画像輝度への寄与関数Ｃ（λ）は、図４によって示されたＲＧＢカラーフィルタを有するカメラの分光感度特性から、算出される。具体的には、次式を用いて求められる。
【００４１】
【数１】
2016146283.tif 000003
【００４２】
ここで、ｌ、ｍ、ｎは所定の係数となっている。つまり、カメラ１００の画像輝度への寄与関数Ｃ（λ）は、ｒ（λ）、ｇ（λ）及びｂ（λ）に所定の係数を乗じて、それぞれを加算することで算出される。
【００４３】
図３に示されるように、画像輝度への寄与関数Ｃ（λ）には、ヒトの眼の視感度Ｐ（λ）と比較して、高い感度を有している波長帯がある。従って、ヒトの眼の視感度Ｐ（λ）よりも、画像輝度への寄与関数Ｃ（λ）の感度が高い波長帯に高い発光エネルギーを有する分光分布を有する光は、カメラ１００の画像輝度を高めて、カメラ１００により明るい画像の撮影を可能にする。ここで、発光エネルギーとは、分光分布に示される光の相対強度を所定の波長帯に亘って積分したものである。具体的には、発光エネルギーは、分光分布の所定の波長帯における面積となる。
【００４４】
しかし、所定の波長帯の発光エネルギーの総和が一定の場合に、所定の波長帯のうちの一部の波長帯に高い発光エネルギーを有する光は、所定の波長帯以外の波長帯の発光エネルギーが低くなる。言い換えると、分光分布の所定の波長帯における面積が一定の場合に、分光分布の所定の波長帯のうちの一部の波長帯における面積が大きい光は、分光分布の一部の波長帯以外の波長帯における面積が小さくなる。具体的には、画像輝度への寄与関数Ｃ（λ）の感度が高い波長帯（例えば、４８０ｎｍ以下、または６３０ｎｍ以上等）に高い発光エネルギーを有する光は、ヒトの眼の視感度Ｐ（λ）に対して感度が高い波長帯の発光エネルギーが低くなる。従って、発光エネルギーの総和が一定の場合に、画像輝度への寄与関数Ｃ（λ）の感度が高い波長帯に高い発光エネルギーを有する光の見た目の明るさは、暗くなることがある。これにより、画像輝度への寄与関数Ｃ（λ）の感度が高い波長帯に高い発光エネルギーを有する光を発光する発光装置は、発光効率が低くなることがある。ここで、発光効率とは、単位電力あたりの全光束（ルーメン毎ワット）である。発光効率が低い発光装置は、単位電力あたりの見た目の明るさが暗くなる。
【００４５】
そこで、発光装置２０が発光する光の分光分布が、４８０ｎｍから５３０ｎｍ及び６２０ｎｍから６３０ｎｍに高い発光エネルギーを有することで、発光装置２０の発光効率を高く維持することができる。具体的には、発光装置２０の発光効率は、既存の発光装置（例えば、屋外用ＬＥＤ）の発光効率の８０％以上となる。
【００４６】
［発光装置の特徴］
次に、発光装置２０の特徴について説明する。
【００４７】
発光装置２０が発光する光の分光分布は、ヒトの眼の視感度Ｐ（λ）よりも画像輝度への寄与関数Ｃ（λ）の感度が高い波長帯のうち、所定の波長帯に高い発光エネルギーを有する。ここで、所定の波長帯とは、４８０ｎｍから５３０ｎｍ及び６２０ｎｍから６３０ｎｍである。つまり、発光装置２０の光の分光分布は、４８０ｎｍから５３０ｎｍ及び６２０ｎｍから６３０ｎｍに高い発光エネルギーを有する。具体的には、発光装置２０の光の分光分布は、可視波長帯である３８０ｎｍから７８０ｎｍの発光エネルギーに対する、４８０ｎｍから５３０ｎｍの発光エネルギーと６２０ｎｍから６３０ｎｍの発光エネルギーとの和の割合が、２７％以上５３％以下である。さらに、３８０ｎｍから７８０ｎｍの発光エネルギーに対する、４８０ｎｍから５３０ｎｍの発光エネルギーと６２０ｎｍから６３０ｎｍの発光エネルギーとの和の割合を２７％以上５３％以下よりも狭くしてもよい。具体的には、発光装置２０の光の分光分布は、可視波長帯である３８０ｎｍから７８０ｎｍの発光エネルギーに対する、４８０ｎｍから５３０ｎｍの発光エネルギーと６２０ｎｍから６３０ｎｍの発光エネルギーとの和の割合が、３５％以上４８％以下であってもよい。これにより、発光装置２０の発光効率は、既存の発光装置の発光効率の８０％以上となり高効率となる。つまり、発光装置２０は、高い発光効率を維持したまま、既存の発光装置が発光する光と見た目の明るさが同じ光を発光することができる。
【００４８】
次に、発光装置２０が発光する光の具体例について、図５を用いて説明する。
【００４９】
図５は、発光装置２０が発光する光の分光分布の一例を示す図である。図５には、発光装置２０として例えば、発光装置２０ａ〜２０ｃ、及び、既存の発光装置として例えば、蛍光ランプ２００ａの光の分光分布がそれぞれ示されている。発光装置２０ａが二点鎖線、発光装置２０ｂが点線、発光装置２０ｃが一点鎖線、蛍光ランプ２００ａが実線で表されている。また、４８０ｎｍから５３０ｎｍ及び６２０ｎｍから６３０ｎｍの波長帯がそれぞれ破線で示されている。
【００５０】
図５に示されるように、発光装置２０ａ〜２０ｃの光の分光分布は、蛍光ランプ２００ａの光と比較して、４８０ｎｍから５３０ｎｍ及び６２０ｎｍから６３０ｎｍに高い発光エネルギーを有している。具体的には、発光装置２０ａ〜２０ｃそれぞれの光の分光分布の、３８０ｎｍから７８０ｎｍにおける面積に対して、４８０ｎｍから５３０ｎｍ及び６２０ｎｍから６３０ｎｍにおける面積が占める割合が大きくなっている。発光装置２０ａ〜２０ｃそれぞれの、３８０ｎｍから７８０ｎｍの発光エネルギーに対する、４８０ｎｍから５３０ｎｍ、及び、６２０ｎｍから６３０ｎｍの発光エネルギーの割合、さらにそれらの和の割合について、具体的な数値を図６に示す。
【００５１】
図６は、３８０ｎｍから７８０ｎｍの発光エネルギーに対する、各波長帯の発光エネルギーの割合を示す図である。
【００５２】
図６に示されるように、発光装置２０ａ〜２０ｃが発光する光の分光分布は、３８０ｎｍから７８０ｎｍの発光エネルギーに対する、４８０ｎｍから５３０ｎｍの発光エネルギーと６２０ｎｍから６３０ｎｍの発光エネルギーとの和の割合が、２７％以上５３％以下となる。さらに、発光装置２０ｂ及び２０ｃが発光する光の分光分布は、３８０ｎｍから７８０ｎｍの発光エネルギーに対する、４８０ｎｍから５３０ｎｍの発光エネルギーと６２０ｎｍから６３０ｎｍの発光エネルギーとの和の割合が、３５％以上４８％以下となる。
【００５３】
このように、発光装置２０の光の分光分布は、４８０ｎｍから５３０ｎｍ及び６２０ｎｍから６３０ｎｍに高い発光エネルギーを有する。
【００５４】
［効果等］
外光の入らない屋内または夜間の屋外等の自然光の少ない環境において、監視カメラのようにＲＧＢカラーフィルタを有するイメージセンサを備える装置は、照明器具の光を欠かすことができない。
【００５５】
しかしながら、既存の発光装置を備えた照明器具では、ヒトの眼の感度のみが考慮されており、監視カメラなどのＲＧＢカラーフィルタを有するイメージセンサは、受光量が不足し不鮮明な撮像をしてしまう場合がある。
【００５６】
そこで、本実施の形態に係る発光装置２０は、可視波長帯である３８０ｎｍから７８０ｎｍの範囲内に分光分布を有する光を発光する発光装置であって、発光装置２０の光の分光分布は可視波長帯の発光エネルギーに対する、４８０ｎｍから５３０ｎｍの発光エネルギーと６２０ｎｍから６３０ｎｍの発光エネルギーとの和の割合が、２７％以上５３％以下である。
【００５７】
これにより、発光装置２０は、高い発光効率を維持したまま、カメラ１００などＲＧＢカラーフィルタを有するイメージセンサを備える装置に対して、より明るい撮影を可能にする。すなわち、発光装置２０の光の分光分布は、ヒトの眼の視感度に対して、カメラ１００の分光感度（画像輝度への寄与度を示す寄与関数）が高い波長帯に、高い発光エネルギーを有する。そして、カメラ１００での変換効率が高まることで、カメラ１００の受光量が増加し、カメラ１００は、より明るく鮮明な撮影が可能となる。このとき、発光装置２０の発光効率は、既存の発光装置の発光効率の８０％以上となる。従って、発光装置２０は、高い発光効率を維持したまま（つまり、単位電力あたりの見た目の明るさが既存の発光装置の光と同程度のまま）、カメラ１００が撮影する撮影画像の画像輝度を高めることができる。
【００５８】
また、本実施の形態に係る発光装置２０は、可視波長帯の発光エネルギーに対する、４８０ｎｍから５３０ｎｍの発光エネルギーと６２０ｎｍから６３０ｎｍの発光エネルギーとの和の割合が、３５％以上４８％以下である光を発光する。
【００５９】
これにより、発光装置２０は、高い発光効率を維持したまま、カメラ１００が撮影する撮影画像の画像輝度をさらに高めることができる。
【００６０】
上述したカメラ１００の撮影画像の画像輝度の向上について具体的に図７を用いて説明する。また、ここでは、可視波長帯である３８０ｎｍから７８０ｎｍの発光エネルギーに対する、４８０ｎｍから５３０ｎｍの発光エネルギーと６２０ｎｍから６３０ｎｍの発光エネルギーとの和の割合をエネルギー比と呼ぶ。
【００６１】
図７は、実施の形態の発光装置２０による画像輝度の向上を示す図である。既存の発光装置の一例として蛍光ランプ２００ａ、２００ｂ及び３つのＬＥＤ光源と、本実施の形態の発光装置２０の一例として発光装置２０ａ〜２０ｃとが示されている。図７では、ＲＧＢカラーフィルタを有するカメラ１００が、各発光装置により照明された対象物を撮影したときの、撮影画像の画像輝度が示されている。また、既存の発光装置のうちの蛍光ランプ２００ａの光で照明した対象物の撮影画像の画像輝度を基準として（相対値を１として）、各発光装置の光で照明した対象物の撮影画像の相対的な画像輝度が示されている。このとき、各発光装置の光で照明された対象物の見た目の明るさは全て同じである。
【００６２】
図７に示される発光装置２０ａ〜２０ｃの光のように、エネルギー比が２７％以上５３％以下の分光分布を有する光で照明された対象物の撮影画像の画像輝度は、既存の発光装置の光で照明された対象物の撮影画像の画像輝度よりも高くなる。さらに、図７に示される発光装置２０ｂ及び２０ｃの光のように、エネルギー比が、３５％以上４８％以下の分光分布を有する光で照明された対象物の撮影画像の画像輝度は、既存の発光装置（蛍光ランプ２００ａ）の光で照明された対象物の撮影画像の画像輝度よりも５％以上高くなる。
【００６３】
このように、本実施の形態の発光装置２０では、発光装置２０が発光する光の可視波長帯の発光エネルギーに対する４８０ｎｍから５３０ｎｍ及び６２０ｎｍから６３０ｎｍの波長帯の発光エネルギーの比率が調整される。これにより、本実施の形態の発光装置２０は、既存の発光装置の光と見た目の明るさが同じ光を発光した場合であっても、カメラ１００により高い画像輝度の撮影を可能にする。
【００６４】
また、発光装置２０が発光する光の平均演色評価数（Ｒａ）は６０以上であることが好ましい。例えば、本実施の形態の発光装置２０ａ〜２０ｃは、平均演色評価数がそれぞれ６４、６７、６４となる。従って、本実施の形態の発光装置２０ａ〜２０ｃが発光する光の分光分布のように、分光分布を調整することで、発光装置２０が発光する光の平均演色評価数が６０以上となる。
【００６５】
これにより、本実施の形態の発光装置２０は、高い発光効率を維持したまま、カメラ１００に、色の再現性が良く（平均演色評価数が６０以上）、さらに、より高い画像輝度の撮影を可能にする。
【００６６】
なお、発光装置２０が発光する光の平均演色評価数が８０以上であることがより好ましい。例えば、発光装置２０が発光する光の分光分布をさらに調整することで、発光装置２０が発光する光の平均演色評価数が８０以上となる。
【００６７】
これにより、本実施の形態の発光装置２０は、高い発光効率を維持したまま、カメラ１００に、色の再現性が良く（平均演色評価数が８０以上）、さらに、より高い画像輝度の撮影を可能にする。
【００６８】
また、本実施の形態に係る照明器具１０は、発光装置２０を備える。
【００６９】
これにより、照明器具１０は、カメラ１００に、より高い画像輝度の撮影を可能にする光を照射できる。
【００７０】
また、本実施の形態に係る照明システム１は、対象物に光を照射する照明器具１０と、対象物を撮影するカメラ１００とを備える。
【００７１】
これにより、照明システム１において、照明器具１０は、所定の領域にある対象物を照明し、カメラ１００は、より高い画像輝度となる対象物の撮影画像を撮影することができる。
【００７２】
このように、本実施の形態の発光装置２０、照明器具１０及び照明システム１は、高い発光効率を維持したまま、カメラなどのＲＧＢカラーフィルタを有するイメージセンサに対してより明るい撮影を可能にする。
【００７３】
以上、本発明に係る発光装置、照明器具及び照明システムについて、上記実施の形態に基づいて説明したが、本発明は、上記の実施の形態に限定されるものではない。
【００７４】
例えば、上記の実施の形態では、照明システム１において、図１に示されるように、照明器具１０とカメラ１００とは別体となっているが、これに限らない。例えば、照明器具１０とカメラ１００とは一体となっていてもよい。
【００７５】
また、上記の実施の形態では、照明器具１０は、発光装置２０、筐体３０、光拡散部４０、電源制御部５０及び外部電源線６０を備えるが、これに限らない。例えば、照明器具１０は、少なくとも発光装置２０及び筐体３０を備えればよい。
【００７６】
また、上記の実施の形態では、発光装置２０は、赤（Ｒ）の光、緑（Ｇ）の光または青（Ｂ）の光を発光するＬＥＤで構成される複数の発光素子２２ａ〜２２ｇにより構成された発光素子２２を備えたが、これに限らない。例えば、発光装置２０は、発光素子２２として所望の分光分布の光を発光することが可能な蛍光ランプ等を備えてもよい。
【００７７】
また、上記の実施の形態では、発光装置２０は、回路基板２１と回路基板２１に実装された発光素子２２とから構成されたが、これに限らない。例えば、発光装置２０は、回路基板２１を備えなくてもよい。発光装置２０が、発光素子２２として例えば蛍光ランプを備える場合、蛍光ランプが直接筐体３０に取り付けられてもよい。
【００７８】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【００７９】
１  照明システム
１０  照明器具
２０、２０ａ、２０ｂ、２０ｃ  発光装置
１００  カメラ
【図１】
2016146283.tif 000004
【図２】
2016146283.tif 000005
【図３】
2016146283.tif 000006
【図４】
2016146283.tif 000007
【図５】
2016146283.tif 000008
【図６】
2016146283.tif 000009
【図７】
2016146283.tif 000010